(57)【特許請求の範囲】
【請求項１】
一対の側壁（８，１０）と該一対の側壁（８，１０）を接続する周壁（１２）からなるファンハウジング（５）、該ファンハウジング（５）の片方の該側壁（８）に形成された吸入口（１４）、該ファンハウジング（５）の該周壁（１２）の一部に形成された排出口（４２）、該吸入口（１４）から該排出口（４２）への空気流を生成するための羽根体（３２）および該羽根体（３２）を所定方向に回転駆動する駆動手段（３０，３６）をそれぞれ備えた同一の構成の第１および第２のファン装置（２，４）と、該第１および第２のファン装置（２，４）の間に介在されそれぞれの吸入口（１４）およびそれぞれの排出口（４２）が同一方向に向く状態で該第１および第２のファン装置（２，４）を所定間隙を保持して連結する接続部材（６）と、を具備し、
該第１のファン装置（２）の該吸入口（１４）から吸入された空気は、該第１のファン装置（２）の該羽根体（３２）の作用によって該第１のファン装置の該排出口（４２）から排出され、該接続部材（６）は、該第１のファン装置（２）の該排出口（４２）から排出された空気を該第１のファン装置（２）と該第２のファン装置（４）との間の間隙を通して該第２のファン装置（４）の該吸入口（１４）に導き、該第２のファン装置（４）の該吸入口（１４）から吸入された空気は、該第２のファン装置（４）の該羽根体（３２）の作用によって該第２のファン装置（４）の該排出口（４２）から排出されることを特徴とする送風装置。
【請求項２】
該接続部材（６）は、取付本体部（５２）とこの取付本体部（５２）の一端部に設けられた開口カバー部（５８）を有し、該取付本体部（５２）には導入開口（５４）が設けられており、該第１のファン装置（２）の該ファンハウジング（５）は該接続部材（６）の片側に装着され、該第１のファン装置（２）を装着すると該第１のファン装置（２）の該排出口（４２）が該接続部材（６）の該開口カバー部（５８）によって覆われ、該第２のファン装置（４）の該ハウジング（５）は該接続部材（６）の他側に装着され、該第２のファン装置（４）を装着すると該第２のファン装置（４）の該吸入口（１４）が該接続部材（６）の該導入開口（５４）に合致し、該第１のファン装置（２）の該排出口（４２）から排出された空気は、該第１のファン装置（２）の該ハウジング（５）の他方の該側壁（１０）と該接続部材（６）の該取付本体部（５２）との間を通って該第２のファン装置（４）の該吸入口（１４）に導入されることを特徴とする請求項１記載の送風装置。
【請求項３】
該第１および第２のファン装置（２，４）の該ハウジング（５）にはそれぞれ取付貫通孔（４４，４６）が設けられ、該接続部材（６）の該取付本体部（５２）には該取付貫通孔（４４，４６）に対応して連結貫通孔（７０，７２）が設けられており、該取付貫通孔（４４，４６）および該連結貫通孔（７０，７２）を通して固定連結部材が装着されることを特徴とする請求項１または２記載の送風装置。
【請求項４】
一対の側壁（１１２，１２６，１６８，１８２）と該一対の側壁（１１２，１２６，１６８，１８２）を接続する周壁（１１４，１２８，１７０，１８４）からなるファンハウジング（１０６，１６２）、該ファンハウジング（１０６，１６２）の一方の該側壁（１１２，１６８）に形成された吸入口（１２４，１８０）、該ファンハウジング（１０６，１６２）の該周壁（１０６，１６２）の一部に形成された排出口（１４４，２００）、該吸入口（１２４，１８０）から該排出口（１４４，２００）への空気流を生成するための羽根体（３２）および該羽根体を所定方向に回転駆動する駆動手段（３０，３６）をそれぞれ備えた第１および第２のファン装置（１０２，１０４）を備え、該第１および第２のファン装置（１０２，１０４）はそれぞれの吸入口（１２４，１８０）が同一方向に向くよう重ねて配置され、該第１および第２のファン装置（１０２，１０４）のそれぞれのファンハウジング（１０６，１６２）は、該第１のファン装置（１０２）の他方の側壁（１２６）と該第２のファン装置（１０４）の一方の側壁（１６８）との間に空間を形成するよう互いに連結され、該第１または第２のファン装置（１０２，１０４）の該ファンハウジング（１０４）には、該第１のファン装置（１０２）の該排出口（１４４）から排出された空気を該空間を通して該第２のファン装置（１０４）の該吸入口（１８０）に案内するための開口カバー部（１４６）が一体的に設けられており、
該第１のファン装置（１０２）の該吸入口（１２４）から吸入された空気は、該第１のファン装置（１０２）の該羽根体（３２）の作用によって該第１のファン装置（１０２）の該排出口（１４４）から排出され、該第１のファン装置（１０２）の該排出口（１４４）から排出された空気は、該開口カバー部（１４６）に沿って該第１のファン装置（１０２）の該ファンハウジング（１０６）の他方の該側壁（１２６）と該第２のファン装置（１０４）の該ファンハウジング（１６２）の一方の該側壁（１６８）との間の空間を通って該第２のファン装置（１０４）の該吸入口（１８０）に導かれ、該第２のファン装置（１０４）の該吸入口（１８０）から吸入された空気は、該第２のファン装置（１０４）の該羽根体（３２）の作用によって該第２のファン装置（１０４）の該排出口（２００）から排出されることを特徴とする送風装置。
【請求項５】
該開口カバー部（１４６）は該第１のファン装置（１０２）の該ハウジング（１０６）に設けられ、該第１のファン装置（１０２）の該ハウジング（１０６）の他方の該側壁（１２６）と該開口カバー部（１４６）との間には導出開口（１４８）が規定され、該第１のファン装置（１０２）の該排出口（１４４）から排出された空気は、該導出開口（１４８）を通って該第１のファン装置（１０２）の該ハウジング（１０６）の他方の該側壁（１２６）と該第２のファン装置（１０４）の該ハウジング（１６２）の一方の該側壁（１６８）との間に導かれることを特徴とする請求項４記載の送風装置。
【請求項６】
該第１のファン装置（１０２）の該ハウジング（１０６）および該第２のファン装置（１０４）の該ハウジング（１６２）には、両者を相互に着脱自在に装着する係止手段（２０２，２０６）が設けられ、該係止手段は、該第１および第２のファン装置の該ハウジングの一方に設けられた係止爪（２０２）とそれらの他方に設けられた係止凹部（２０６）から構成されていることを特徴とする請求項４または５に記載の送風装置。
【発明の詳細な説明】
【０００１】
【発明の属する技術分野】
本発明は、電子機器等を送風冷却する送風装置に関する。
【０００２】
【従来の技術】
従来から、複写機、パソコン等の電子機器を冷却するのに送風装置が利用されている。この種の送風装置は、電気機器に取付けられるハウジングと、ハウジング内に配設された羽根体と、この羽根体を所定方向に回転駆動する駆動手段を備えている。ハウジングは、一対の側壁とこの一対の側壁を接続する周壁を備え、片方の側壁には吸入口が形成され、周壁の一部には排出口が形成されている。駆動手段によって羽根体が所定方向に回転駆動されると、この羽根体の作用によって、吸入口を通して空気が吸入され、かく吸入された空気は排出口を通して排出され、排出口を通して送給される空気流によって電子機器内に装備された電子部品（たとえばトランジスタ、ＣＰＵ等）が冷却される。
【０００３】
【発明が解決しようとする課題】
しかしながら、近年の電子機器の高性能化に伴い、電子機器のハウジング内に多くの電子部品が配設され、またその小型化に伴いこれら電子部品が比較的小さい空間内に密集して配置される傾向にある。このように電子部品が密集化して配置されると、空気流に対する抵抗が大きくなり、円滑な空気流を生成することが困難となり、冷却効果が低下する。
【０００４】
また、たとえば複写機、印刷機等においても、吸引タイプの紙送り装置を備えたものがある。この種の紙送り装置は、送給される紙（複写紙、印刷紙）を吸引するために、上述したと同様の送風装置が利用されている。
【０００５】
電子機器において冷却効果を高めるために、または紙送り装置において紙を確実に搬送するためには、大型の送風装置を用いればよいが、かくすると装置全体が大型化し、また送風装置によって発生する騒音も大きくなる問題があり、吸引能力の大きい小型の送風装置の出現が望まれていた。
【０００６】
本発明の目的は、大きな静圧を得ることができる小型の送風装置を提供することである。
【０００７】
【課題を解決するための手段】
本発明は、一対の側壁と該一対の側壁を接続する周壁からなるファンハウジング、該ファンハウジングの片方の該側壁に形成された吸入口、該ファンハウジングの該周壁の一部に形成された排出口、該吸入口から該排出口への空気流を生成するための羽根体および該羽根体を所定方向に回転駆動する駆動手段をそれぞれ備えた同一の構成の第１および第２のファン装置と、該第１および第２のファン装置の間に介在されそれぞれの吸入口およびそれぞれの排出口が同一方向に向く状態で該第１および第２のファン装置を所定間隙を保持して連結する接続部材と、を具備し、該第１のファン装置の該吸入口から吸入された空気は、該第１のファン装置の該羽根体の作用によって該第１のファン装置の該排出口から排出され、該接続部材は、該第１のファン装置の該排出口から排出された空気を該第１のファン装置と該第２のファン装置との間の間隙を通して該第２のファン装置の該吸入口に導き、該第２のファン装置の該吸入口から吸入された空気は、該第２のファン装置の該羽根体の作用によって該第２のファン装置の該排出口から排出されることを特徴とする送風装置である。
本発明に従えば、一対のファン装置を連結する接続部材を設けたので、第１のファン装置の排出口から排出された空気はこの接続部材によって第２のファン装置の吸入口に導かれ、第２のファン装置の排出口から排出される空気は、第１および第２のファン装置の羽根体によって送風圧力、すなわち静圧が高められ、小型の２個のファン装置を利用して静圧特性の優れた小型の送風装置を提供することができる。また、一対のファン装置は吸入口が同じ方向を向いて配置されるので、第１のファン装置に空気を導くための空間を小さくすることができ、送風装置の小型化が達成できる。さらに、第１および第２のファン装置として同じ構成のものを用いるので、その構成を簡単にすることができる。
【０００８】
また本発明は、接続部材は、取付本体部とこの取付本体部の一端部に設けられた開口カバー部を有し、取付本体部には導入開口が設けられており、第１のファン装置のファンハウジングは接続部材の片側に装着され、第１のファン装置を装着すると第１のファン装置の排出口が接続部材の開口カバー部によって覆われ、第２のファン装置のハウジングは接続部材の他側に装着され、第２のファン装置を装着すると第２のファン装置の吸入口が接続部材の導入開口に合致し、第１のファン装置の該排出口から排出された空気は、該第１のファン装置の該ハウジングの他方の側壁と接続部材の取付本体部との間を通って第２のファン装置の吸入口に導入されることを特徴とする。
本発明に従えば、接続部材に一対のファン装置を所要の通りに装着すると、接続部材の開口カバー部が第１のファン装置の排出口を覆い、また接続部材の導入開口が第２のファン装置の吸入口に合致するので、第１のファン装置の排出口から排出された空気は第１のファン装置と接続部材の取付本体部との間の空間を通ってその導入開口から第２のファン装置の吸入口に吸入される。したがって、比較的簡単な構成でもって第１のファン装置から排出された空気を第２のファン装置に導くことができ、これによって第２のファン装置から排出される空気の静圧特性を高めることができる。
【０００９】
また本発明は、第１および第２のファン装置のハウジングにはそれぞれ取付貫通孔が設けられ、接続部材の取付本体部には取付貫通孔に対応して連結貫通孔が設けられており、取付貫通孔および連結貫通孔を通して固定連結部材が装着されることを特徴とする。
本発明に従えば、第１および第２のファン装置に設けられた取付貫通孔を利用してこれらファン装置と接続部材を所要の通り連結することができ、通常のファン装置を設計変更を加えることなく用いることができる。
【００１０】
また本発明は、一対の側壁と該一対の側壁を接続する周壁からなるファンハウジング、該ファンハウジングの一方の該側壁に形成された吸入口、該ファンハウジングの該周壁の一部に形成された排出口、該吸入口から該排出口への空気流を生成するための羽根体および該羽根体を所定方向に回転駆動する駆動手段をそれぞれ備えた第１および第２のファン装置を備え、該第１および第２のファン装置はそれぞれの吸入口が同一方向に向くよう重ねて配置され、該第１および第２のファン装置のそれぞれのファンハウジングは、該第１のファン装置の他方の側壁と該第２のファン装置の一方の側壁との間に空間を形成するよう互いに連結され、該第１または第２のファン装置の該ファンハウジングには、該第１のファン装置の該排出口から排出された空気を該空間を通して該第２のファン装置の該吸入口に案内するための開口カバー部が一体的に設けられており、
該第１のファン装置の該吸入口から吸入された空気は、該第１のファン装置の該羽根体の作用によって該第１のファン装置の該排出口から排出され、該第１のファン装置の該排出口から排出された空気は、該開口カバー部に沿って該第１のファン装置の該ファンハウジングの他方の該側壁と該第２のファン装置の該ファンハウジングの一方の該側壁との間の空間を通って該第２のファン装置の該吸入口に導かれ、該第２のファン装置の該吸入口から吸入された空気は、該第２のファン装置の該羽根体の作用によって該第２のファン装置の該排出口から排出されることを特徴とする送風装置である。
本発明に従えば、第１または第２のファン装置のハウジングに開口カバー部が設けられているので、第１のファン装置の排出口から排出された空気は第１のファン装置の他方の側壁と第２のファン装置の一方の側壁との間の空間を通って第２のファン装置の吸入口に送給される。したがって、第２のファン装置の排出口から排出される空気は第１および第２のファン装置の羽根体の作用によってその送給圧力、すなわち静圧が高められる。また、開口カバー部が第１または第２のファン装置のハウジングに一体的に設けられているので、送風装置全体の高さを小さくすることができ、送風装置の小型化が達成される。さらに、第１および第２のファン装置の吸入口が同一方向に向くように配置されているので、第１のファン装置から第２のファン装置に空気を導くための空間を小さくすることができ、このことによっても送風装置の小型化が達成することができる。
【００１１】
また本発明は、開口カバー部は第１のファン装置のハウジングに設けられ、第１のファン装置のハウジングの他方の側壁と開口カバー部との間には導出開口が規定され、第１のファン装置の排出口から排出された空気は、導出開口を通って第１のファン装置のハウジングの他方の側壁と第２のファン装置のハウジングの一方の側壁との間に導かれることを特徴とする。
本発明に従えば、開口カバー部が第１のファン装置のハウジングの他方の側壁に設けられ、この側壁にはまた導出開口が形成されているので、第１のファン装置の排出口から排出された空気は開口カバー部および導出開口の作用によって第２のファン装置の吸入口に向けて送給される。
【００１２】
また本発明は、第１のファン装置のハウジングおよび第２のファン装置のハウジングには、両者を相互に着脱自在に装着する係止手段が設けられ、係止手段は、第１および第２のファン装置のハウジングの一方に設けられた係止爪とそれらの他方に設けられた係止凹部から構成されていることを特徴とする。
さらに本発明に従えば、第１のファン装置と第２のファン装置を連結するための係止手段が係止爪と係止凹部の組合せから構成されているので、両者を係合させることによって第１および第２のファン装置を容易に相互に連結することができる。
【００１３】
【発明の実施の形態】
図１は、本発明に従う送風装置の第１の実施形態を分解して示す分解斜視図である。図１において、図示の送風装置は、第１のファン装置２と、第２のファン装置４と、両者を接続する接続部材６から構成されている。第１のファン装置２と第２のファン装置４は実質上同一の構成であり、たとえば図２に示す汎用のファン装置、シロッコタイプのファン装置が用いられる。
【００１４】
主として図２を参照して、第１（または第２）のファン装置２（または４）について説明すると、図示のファン装置２（または４）は、箱状のファンハウジング５を備え、このハウジング５は、所定の間隔を置いて配設される一対の側壁８，１０と、この一対の側壁８、１０を接続する周壁１２から構成されている。ハウジング５の片方の側壁８（図１および図２において上側の側壁）の略中央部には、周方向に間隔を置いて４個の吸入口１４が設けられている。この吸入口１４は、３個以下または５個以上設けることができる。側壁８の中央部（詳細には、吸入口１４の内側部位）には、中空円筒状の支持壁１６が設けられており、この支持壁１６に一対の軸受１８，２０を介してロータ２２が回転自在に支持されている。ロータ２２はカップ状のロータ本体２４を有し、ロータ本体２４に軸部材２６の一端部が固定され、この軸部材２６が一対の軸受１８，２０に支持されている。ロータ本体２４の内周面には、環状のヨーク２８を介して環状マグネット３０が装着されている。また、ロータ本体２４にはこれと一体に回転する羽根体３２が設けられ、羽根体３２は周方向に複数枚設けられた羽根部３４を有している。
【００１５】
マグネット３０に対向してその内側にステータ３６が配設されている。ステータ３６は、複数枚のコアプレートを積層することによって形成されるステータコア３８と、このステータコア３８に巻かれたコイル４０を有し、ステータコア３８が支持壁１６の外周面に固定されている。また、ハウジング５の周壁１２の一部、図１において右部位、図２において左部位には矩形状の排出口４２が設けられている。
【００１６】
かく構成されているので、駆動手段を構成するステータ３６とマグネット３０の磁気的相互作用によってロータ２２、したがって羽根体３２が所定方向に回転されると、外部の空気は図２において上方から吸入口１４を通してハウジング内に吸入され、かく吸入された空気は図２において左方に排出口４２を通して外部に排出される。
【００１７】
実施の形態では、ハウジング５に２個の取付貫通孔４４，４６が設けられている。すなわち、ハウジング５の対向する部位には、半径方向外方に突出する略半円状の突出部４８，５０が設けられており、かかる突出部４８，５０にそれぞれ取付貫通孔４４，４６が設けられている。ファン装置２（または４）を通常の汎用ファン装置として用いる場合には、かかる取付貫通孔４４，４６を通して固定用ねじ等を所要のとおり装着することによって、電子機器等に取付けられる。なお、ファン装置２（または４）の固定を一層確実にするために、取付貫通孔４４，４６の数を３個以上設けるようにしてもよい。
【００１８】
図１に戻って接続部材６について説明すると、図示の接続部材６は、プレート状の取付本体部５２を備えている。この取付本体部５２は第１および第２のファン装置２，４のハウジング５の側壁８，１０の形状にほぼ対応し、略円形状の円形状部５２ａと、この円形状部５２ａから延びる矩形状部５２ｂを有している。円形状部５２ａの中央部には、第２のファン装置４の複数個の吸入口１４に対応して比較的大きい円形状の導入開口５４が設けられている。この接続部材６の取付本体部５２の外周縁には、実質上全周に渡って片側に第１のファン装置２に向けて突出するフランジ５６が設けられている。このフランジ５６の一部、図１において右端部は、他の部位よりも大きく突出しており、比較的大きい矩形状の部位５８は、第１のファン装置２の排出口４２の形状に対応して開口カバー部として機能し、この開口カバー部５８とフランジ５６の低い部分との間に開口カバー部５８の自由端部まで延びる突出壁部６０，６２が設けられ、さらに突出壁部６０，６２を接続する上接続壁部６４が設けられている。取付本体部５２のフランジ５６の外周面には、第１および第２のファン装置２，４に設けられた突出部４８，５０に対応して半径状の突出部６６，６８が設けられ、突出部６６，６８にはそれぞれ連結貫通孔７０，７２が設けられている。
【００１９】
かかる送風装置においては、第１および第２のファン装置２，４は、それぞれの吸入口１４及びそれぞれの排出口４２が同一方向に向くように接続部材６を介して図１において上下方向に装着される。すなわち、第１のファン装置２は、接続部材６の片側において、そのハウジング５の他方の側壁１０の周縁部が接続部材６の取付本体部５２のフランジ（詳細には、その低い部分）に載置されるように配置される。かく配置すると、第１のファン装置２の排出口４２に対向して開口カバー部５８が位置し、またこの開口カバー部５８と第１のファン装置２のハウジング５との間が、取付本体部５２の一部、突出壁部６０，６２および上接続壁部６４によって覆われ、第１のファン装置２の排出口４２から排出された空気は、外部に排出されることなく、開口カバー部５８に案内されて第１のファン装置２のハウジング５の他方の側壁１０と接続部材６の取付本体部５２との間に規定された空間に導かれる。なお、かく第１のファン装置２を配置すると、第１のファン装置２の取付貫通孔４４，４６と、接続部材６の連結貫通孔７０，７２とが上下方向に整合する。
【００２０】
第２のファン装置４は、接続部材６の他側において、その取付本体部５２に上下方向に重なるように配置される。かく配置すると、図１から理解されるように、第１および第２のファン装置２，４の吸入口１４が図１において上に向き、またそれらの排出口４２が図１において右上に向いた状態となるとともに、第２のファン装置４の吸入口１４が接続部材６の導入開口５４に合致し、第１のファン装置２と接続部材６の取付本体部５２との間を通って流れる空気は、この導入開口５４を通して第２のファン装置４の吸入口１４に送給される。また、かくすると、接続部材６の連結貫通孔７０，７２と第２のファン装置４の取付貫通孔４４，４６とが上下方向に整合する。
【００２１】
しかる後、第１のファン装置２の取付貫通孔４４，４６、接続部材６の連結貫通孔７０，７２および第２のファン装置４の取付貫通孔４４，４６を通して固定ねじの如き固定連結部材（図示せず）を挿入し、固定連結部材の突出端部にナットの如き手段（図示せず）を装着する。かくすると、第１および第２のファン装置２，４が接続部材６を介して連結され、これら第１および第２のファン装置２，４および接続部材６からなる送風装置をユニットとして電子機器等の冷却装置として用いることができる。なお、電子機器等に固定するための固定用ねじを固定連結部材として利用し、固定用ねじを電子機器の支持フレーム（図示せず）に固定することによって、これら第１および第２のファン装置２，４および接続部材６を連結することもできる。
【００２２】
かくの通りの送風装置においては、第１および第２のファン装置２，４の羽根体３２が同時に所定方向に回転駆動される。第１のファン装置２においては、羽根体３２の作用によって外部の空気が吸入口１４からハウジング５内に吸入され、吸入された空気はその排出口４２から開口カバー部５８に向けて排出される。そしてかく排出された空気は、開口カバー部５８の作用によって第１のファン装置２のハウジング５の側壁１０と接続部材６の取付本体部５２との間に規定される空間に導かれ、かかる空間を通って導入開口５４から第２のファン装置４の吸入口１４に送給される。第２のファン装置４の吸入口１４に送給された空気は、その羽根体３２の作用によってハウジング５内に吸入され、吸入された空気はその排出口４２から外部に排出される。したがって、この送風装置では、冷却のための空気流は、第１および第２のファン装置２，４の羽根体３２の作用によって送給されるため、第２のファン装置４の排出口４２から排出される空気流の圧力、すなわち静圧は従来に比して大きくなり、比較的小さな装置でもって空気流の静圧特性を向上させることができる。さらに、装置としては、従来から使用している２個の汎用ファン装置２，４と接続部材６を組み合わせるという簡単な構成でもって、静圧特性をアップすることができる。
【００２３】
なお、第１のファン装置２と接続部材６との間の密封性および／または接続部材６と第２のファン装置４との間の密封性を高めるために、これらの両部材の間にゴム材料等から形成することができるシールを配設してもよい。また、第１のファン装置２と接続部材６との間の間隔を小さくすると第２のファン装置４に送給される空気流の抵抗が大きくなり、一方この間隔を大きくすると送風装置全体の高さが大きくなるので、これらを考慮してこの間隔、すなわち接続部材６のフランジ５６（低い部分）の高さが設定される。
【００２４】
次いで、図３および図４を参照して、本発明に従う送風装置の第２の実施形態について説明する。この第２の実施形態においては、第１および第２のファン装置のファンハウジングに改良が施され、接続部材が省略され、第１の実施形態に比して更なる小型化、薄型化が達成される。なお、第２の実施形態において第１の実施形態と実質上同一の部材は、同一の番号を付してその説明を省略する。
【００２５】
送風装置の断面図である図３および送風装置のハウジングを分解して示す図４において、第１のファン装置１０２のファンハウジング１０６は、第１の部材１０８と第２の部材１１０から構成されている。第１の部材１０８はハウジング１０６の片方の側壁を構成する側壁１１２と、この側壁１１２の一部を除く周縁部に設けられた周壁１１４を有している。この周壁１１４の対向する部位には、半径方向外方に突出する半円状の突出部１１６，１１８が設けられ、この突出部１１６，１１８にはそれぞれ取付貫通孔１２０，１２２が設けられている。側壁１１２の中央部には、周方向に間隔を置いて４個の吸入孔１２４が設けられている。この吸入孔１２４の数は適宜設定することができる。
【００２６】
第２の部材１１０は、ハウジング１０６の他方の側壁を構成する側壁１２６と、この側壁１２６の一部を除く周縁部に設けられた周壁１２８を有している。周壁１２８の対向する部位には、第１の部材１０８の突出部１１６，１１８に対応して、突出部１３０，１３２が設けられ、突出部１３０，１３２には取付貫通孔１３４，１３６が形成されている。
【００２７】
第１の部材１０８の周壁１１４および第２の部材１１０の周壁１２８には、両者を相互に着脱自在に装着するための係止手段が設けられている。図示の係止手段は、第１の部材１０８の周壁１１４の開口側部位（図４において下側部位）に設けられた係止爪１３８と、第２の部材１１０に設けられた係止凹部から構成されている。実施の形態では、係止爪１３８は周方向に間隔を置いて３個設けられ、それらの弾性変形可能な爪部は幾分半径方向外方に突出している。第２の部材１１０には、各係止爪１３８に対応して第１の部材１０８に向けて突出する小突部１４２が設けられ、かかる小突部１４２に形成された係止開口１４０によって係止凹部が構成されている。したがって、第１の部材１０８の係止爪１３８を第２の部材１１０の係止開口１４０に係合させることによって、第１および第２の部材１０８，１１０を着脱自在し装着することができる。そして、かく装着すると、第１の部材１０８の周壁１１４と第２の部材１１０の周壁１２８とがハウジング１０６の周壁を規定し、周壁１０８，１１０が存在しない部位が、ハウジング１０６に規定された排出口１４４として機能する。また、第１の部材１０８の取付貫通孔１２０，１２２と第２の部材１１０の取付貫通孔１３４，１３６とが整合して実質上連続した取付貫通孔を規定する。第１の部材１０８と第２の部材１１０との接続部の密封性を高めるために、第１の部材１０８の周壁１１４の開口部の外側部位に段部を設けるとともに、第２の部材１１０の周壁１２８の開口部の内側部位に段部を設け、これら第１および第２の部材１０８，１１０の開口部を半径方向に重ねるようにするのが望ましい。なお、上述した構成に代えて、第１の部材１０８に係止凹部を、また第２の部材１１０に係止爪１３８を設けるようにしてもよい。さらに、第１の部材１０８と第２の部材１１０の結合は、係止手段に代えて接着剤等によって行うこともできる。
【００２８】
実施の形態では、図３及び図４から明らかなように、第２の部材１１０に開口カバー部１４６が一体的に設けられている。開口カバー部１４６はハウジング１０６に規定される排出口の形状にほぼ対応し、下方への空気の流れをスムースにするために、その上部（第１の部材１０８に対応する部位）は下方に第２の部材１１０に向けて外方に円弧状に湾曲して突出している。この開口カバー部１４６の下縁と第２の部材１１０の側壁１２６との間には、矩形状の導出開口１４８が規定されている。この導出開口１４８は、ハウジング１０６の排出口１４４から排出された空気を第１のファン装置１０２と第２のファン装置１０４との間の空間に導く。また、開口カバー部１４６と第１のファン装置１０２のハウジング１０６の間を塞ぐように補助カバー壁１５０，１５２が設けられており、ハウジング１０６の排出口１４４から排出された空気が外部に漏れないように構成されている。なお、開口カバー部１４６における密封性を高めるために、第１の部材１０８の排出口１４４の一部を規定する部分内側部位に段部が設けられるとともに、開口カバー部１４６および補助カバー部１５０，１５２の対応する部分の外側部位にも段部が設けられ、これら段部が重ね合させている。なお、図３から理解されるとおり、ファン装置の主要構成部品、すなわちロータ２２およびステータ３６等は第１の部材１０８に所要のとおり装着される。
【００２９】
次に、第２のファン装置１０４のファンハウジング１６２について説明すると、図示のハウジング１６２は、第１の部材１６４と第２の部材１６６から構成されている。第１の部材１６４はハウジング１６２の片方の側壁を構成する側壁１６８と、この側壁１６８の一部を除く周縁部に設けられた周壁１７０を有している。この周壁１７０の対向する部位には、第１のファン装置１０２の突出部１１６，１１８，１３０，１３２に対応して、半径方向外方に突出する半円状の突出部１７２，１７４が設けられ、この突出部１７２，１７４にはそれぞれ取付貫通孔１７６，１７８が設けられている。側壁１６８の中央部には、周方向に間隔を置いて４個の吸入口１８０が設けられている。この吸入口１８０の数は適宜設定することができる。
【００３０】
第２の部材１６６は、ハウジング１６２の他方の側壁を構成する側壁１８２と、この側壁１８２の一部を除く周縁部に設けられた周壁１８４を有している。周壁１８４の対向する部位には、第１の部材１６４の突出部１７２，１７４に対応して、突出部１８６，１８８が設けられ、突出部１８６，１８８には取付貫通孔１９０，１９２が形成されている。
【００３１】
第１の部材１６４の周壁１７０および第２の部材１６６の周壁１８４には、両者を相互に着脱自在に装着するための係止手段が設けられている。図示の係止手段は、第１のファン装置１０２に設けられたものと実質上同一の構成であり、第１の部材１６４の周壁１７０に設けられた係止爪１９４と、第２の部材１６６の小突部１９６に設けられた係止開口１９８（係止凹部として作用する）から構成されている。したがって、第１の部材１６４の係止爪１９４を第２の部材１６６の係止開口１９８に係合させることによって、第１および第２の部材１６４，１６６を着脱自在し装着することができる。そして、かく装着すると、第１の部材１６４の周壁１７０と第２の部材１６６の周壁１８４とがハウジング１６２の周壁を規定し、周壁１７０，１８４が存在しない部位が、ハウジング１６２に規定された矩形状の排出口２００として機能する。また、第１の部材１６４の取付貫通孔１７６，１７８と第２の部材１６６の取付貫通孔１９０，１９２とが整合して実質上連続した取付貫通孔を規定する。第１の部材１０８と第２の部材１１０との接続部の密封性を高めるために、第１のファン装置１０２と同様に、第１の部材１６４の周壁１７０の開口部の外側部位に段部を設けるとともに、第２の部材１６６の周壁１８４の開口部の内側部位に段部を設け、これら第１および第２の部材１６４，１６６の開口部を半径方向に重ねるようにするのが望ましい。なお、上述した構成に代えて、第１の部材１６４に係止凹部を、また第２の部材１６６に係止爪１９４を設けるようにしてもよい。さらに、第１の部材１６４と第２の部材１６６の結合は、係止手段に代えて接着剤等によって行うこともできる。第１のファン装置１０２と第２のファン装置１０４を着脱自在に装着可能にすると、片方のファン装置１０２，１０４が故障等したとき、この故障等したファン装置のみを交換すればよく、経済的メリットが大きくなる。この第２のファン装置１０４においても、ファン装置の主要構成部品、すなわちステータ３６およびロータ２２等は第１の部材１６４に装着される。
【００３２】
実施の形態では、第１のファン装置１０２の排出口１４４から排出された空気が第２のファン装置１０４の吸入口１８０に送給されるように次のとおり構成されている。第２のファン装置１０４の第１の部材１６４の側壁１６８は、第２の部材１６６の側壁１８２よりも図３において幾分左方に突出しており、この側壁１６８の突出する部分は上方に第１のファン装置１０２に向けて弧状に湾曲して延びており、この第１の部材１６４の外形は、第１のファン装置１０２の第２の部材１１０の全体の外形に対応している。第１の部材１６４の周壁１７０は、側壁１６８を越えて上方に突出しており、この周壁１７０の上端縁は側壁１６８の弧状に延びる突出先端縁まで延び、これと協働して実質上同一の面を規定する。なお、第１の部材１６４の側壁１６８の突出部分が弧状に湾曲されているので、図３から容易に理解されるとおり、第２のファン装置１０４の吸入口１８０に向けての空気の流れがスムースとなる。
【００３３】
第１のファン装置１０２のハウジング１０６と第２のファン装置１０４のハウジング１６２には、両者を互いに着脱自在に装着する係止手段が４組設けられている。図示の係止手段の各々は、第１および第２のファン装置１０２，１０４に設けられたものと実質上同一の構成であり、該１のファン装置１０２の第２の部材１１０の周壁１２８に設けられた係止爪２０２と、第２のファン装置１０４の第１の部材１６４の周壁１７０に設けられている小突起２０４に形成された係止開口２０６（係止凹部として作用する）から構成されている。この構成に代えて、第１の部材１６４に係止開口２０６を設け、第２の部材１６６に係止爪２０２を設けるようにしてもよい。したがって、第１のファン装置１０２の係止爪２０２を第２のファン装置２０４の係止開口２０４に係合させることによって、第１および第２のファン装置１０２，１０４を着脱自在に装着することができる。かく装着すると、図３に示すように、第１および第２のファン装置１０２，１０４が、それらの吸入口１２４，１８０が同じ方向（図３において左方）を向くように上下方向に重ね合わせられ、第１のファン装置１０２の第２の部材１１０の周壁１２８、開口カバー部１４６および補助カバー部１５０，１５２の下縁部が第２のファン装置１０４の第１の部材１６４の周壁１７０および側壁１６８の一部の上縁部に載置されるように取付けられ、第１のファン装置１０２のハウジング１０６と第２のファン装置１０４のハウジング１６２とは実質上連続した送風装置のハウジングを規定する。そして、第１のファン装置１０２の第２の部材１１０の側壁１２６と第２のファン装置１０４の第１の部材１６４の側壁１６８との間に空気流を導くための空間が規定され、この空間の周面は第２のファン装置１０４の第１の部材１６４の周壁１７０と側壁１６８の一部によって覆われ、これによって空気の外部への漏れが防止される。また、第１のファン装置１０２の取付貫通孔（貫通孔１２０，１２２，１３４，１３６）と第２のファン装置１０４の貫通孔１７６，１７８，１９０，１９２）とが上下方向に整合し、これら貫通孔を通して固定ねじ等の部材を装着することによって電子機器等の支持フレーム（図示せず）に装着することができる。なお。第１のファン装置１０２のハウジング１０６と第２のファン装置１０４のハウジング１６２との接続部の密封性を高めるために、上述したと同様に、第１のファン装置１０２の第２の部材１１０の外側部位と第２のファン装置１０４の第１の部材１６４の内側部位にそれぞれ段部を設け、これら段部を重ね合わせるようにするのが望ましい。
【００３４】
かくの通りの送風装置における第１および第２のファン装置１０２，１０４の構成は、第１の実施形態における第１および第２のファン装置２，４の構成と実質上同一である。この送風装置においても、第１および第２のファン装置１０２，１０４の羽根体３２が同時に所定方向に回転駆動される。かくすると、第１のファン装置１０２においては、羽根体３２の作用によって外部の空気が吸入口１２４からハウジング１０６内に吸入され、吸入された空気はその排出口１４４から開口カバー部１４６に向けて排出される。そしてかく排出された空気は、開口カバー部１４６に案内され、第１のファン装置１０２の側壁１２６と開口カバー部１４６との間に規定された導出開口１４８を通って第１のファン装置１０２の側壁１２６と第２のファン装置１０４の側壁１６８との間の空間に導かれ、かかる空間を通って第２のファン装置１０４の吸入口１８０に送給される。第２のファン装置１０４の吸入口１８０に送給された空気は、その羽根体３２の作用によってハウジング１６２内に吸入され、吸入された空気はその排出口２００から外部に排出される。したがって、この送風装置では、第１の実施形態と同様に、冷却のための空気流は、第１および第２のファン装置１０２，１０４の羽根体３２の作用によって送給されるため、第２のファン装置１０４の排出口２００から排出される空気流の圧力、すなわち静圧は大きくなり、比較的小さな装置でもって空気流の静圧特性を向上させることができる。さらに、第１の実施形態と比較して接続部材を省略することができるので、送風装置全体の薄型化、小型化が達成される。
【００３５】
なお、第２の実施形態では、開口カバー部１４６を第１のファン装置１０２の第２の部材１１０に設けているが、これに代えて、第１のファン装置１０２の第１の部材１０８に設けることもでき、また第２のファン装置１０４の第１の部材１６４に設けることもできる。
【００３６】
また、上述の実施形態では、ステータを固定したハウジングの側壁に吸入口が形成されたものに適用して説明したが、たとえば実開平６−３７５９４号公報の図５に示されたもの、すなわちステータを固定した側壁と反対側の側壁（カバー壁）に吸入口が形成されたものにも同様に適用することができる。
【００３７】
【発明の効果】
本発明によれば、一対のファン装置を連結する接続部材を設けたので、第１のファン装置の排出口から排出された空気はこの接続部材によって第２のファン装置の吸入口に導かれ、第２のファン装置の排出口から排出される空気は、第１および第２のファン装置の羽根体によって送風圧力、すなわち静圧が高められ、小型の２個のファン装置を利用して静圧特性の優れた小型の送風装置を提供することができる。また、一対のファン装置の吸入口が同じ方向を向いているので、第１のファン装置から第２のファン装置に空気を導くための空間を小さくすることができ、送風装置の小型化を図ることができる。
【００３８】
また本発明によれば、接続部材に一対のファン装置を所要の通りに装着すると、接続部材の開口カバー部が第１のファン装置の排出口を覆い、また接続部材の導入開口が第２のファン装置の吸入口に合致するので、第１のファン装置の排出口から排出された空気は第１のファン装置と接続部材の取付本体部との間の空間を通ってその導入開口から第２のファン装置の吸入口に吸入される。したがって、比較的簡単な構成でもって第１のファン装置から排出された空気を第２のファン装置に導くことができ、これによって第２のファン装置から排出される空気の静圧特性を高めることができる。
【００３９】
また本発明によれば、第１および第２のファン装置に設けられた取付貫通孔を利用してこれらファン装置と接続部材を所要の通り連結することができ、通常のファン装置を設計変更を加えることなく用いることができる。
【００４０】
本発明によれば、第１または第２のファン装置のハウジングに開口カバー部が設けられているので、第１のファン装置の排出口から排出された空気は第１のファン装置の他方の側壁と第２のファン装置の一方の側壁との間の空間を通って第２のファン装置の吸入口に送給される。したがって、第２のファン装置の排出口から排出される空気は第１および第２のファン装置の羽根体の作用によってその送給圧力、すなわち静圧が高められる。また、開口カバー部が第１または第２のファン装置のハウジングに一体的に設けられているので、送風装置全体の高さを小さくすることができ、送風装置の小型化が達成される。さらに、第１および第２のファン装置の吸入口が同一方向を向いているので、第１のファン装置から第２のファン装置に空気を導くための空間を小さくすることができ、これによって送風装置の小型化を図ることができる。
【００４１】
また本発明によれば、開口カバー部が第１のファン装置のハウジングの他方の側壁に設けられ、この側壁にはまた導出開口が形成されているので、第１のファン装置の排出口から排出された空気は開口カバー部および導出開口の作用によって第２のファン装置の吸入口に向けて送給される。
【００４２】
さらに本発明によれば、第１のファン装置と第２のファン装置を連結するための係止手段が係止爪と係止凹部の組合せから構成されているので、両者を係合させることによって第１および第２のファン装置を容易に相互に連結することができる。
【図面の簡単な説明】
【図１】本発明に従う送風装置の第１の実施形態を分解して示す分解斜視図である。
【図２】図１におけるＩＩ−ＩＩ線による断面図である。
【図３】本発明に従う送風装置の第２の実施形態を示す断面図である。
【図４】図３の送風装置のハウジングを分解して示す分解斜視図である。
【符号の説明】
２，１０２  第１のファン装置
４，１０４  第２のファン装置
５，１０６，１６２  ハウジング
６  接続部材
８，１０，１１２，１２６，１６８，１８２  側壁
１２，１１４，１２８，１７０，１８４  周壁
１４，１２４，１８０  吸入口
２２  ロータ
３０  マグネット
３２  羽根体
４２  排出口
５２  取付本体部
５４  導入開口
５８，１４６  開口カバー部
１０８  第１のファン装置の第１の部材
１１０  第１のファン装置の第２の部材
１６４  第２のファン装置の第１の部材
１６６  第２のファン装置の第２の部材
【図１】
0003771326.tif 000002
【図２】
0003771326.tif 000003
【図３】
0003771326.tif 000004
【図４】
0003771326.tif 000005